(57)【特許請求の範囲】
【請求項１】
加工液飛散防止カバー装置（７０）は、工作機械のワークテーブル（３ａ）前面側に設けられる天井開放型加工液飛散防止カバー装置（７０）であって、左側戸袋（７０ａ）と、この左側戸袋内に出入り可能な中央引き戸（７０ｂ）と、右端に設けられた回転軸（７２）廻りに前記ワークテーブル（３ａ）方向内側に回動可能な右側回転扉（７０ｃ）とから構成されており、前記中央引き戸（７０ｂ）と右側回転扉（７０ｃ）には透視窓（７４，７４）が設けられている加工液飛散防止カバー装置（７０）であり、
数値制御装置（５０）は、前記加工液飛散防止カバー装置（７０）の右側回転扉（７０ｃ）を内側へ後退させた後に数値制御装置（５０）を垂下する懸架機構（４０）の旋回アーム（２１ａ，２２ｂ）を前記回転軸（７２）廻りに旋回させることにより前記ワ−クテーブル（３ａ）近傍に移動可能であり、また、前記旋回アーム（２１ａ，２２ｂ）を前記回転軸（７２）廻りに逆方向に旋回させることにより前記加工液飛散防止カバー装置（７０）外へと移動シテワークステージの前記ワークテーブル（３ａ）から遠ざける構造となっている、
ことを特徴とする数値制御工作機械（１）用の加工液飛散防止カバー装置（７０）。
【発明の詳細な説明】
【技術分野】
【０００１】
本発明は、加工ステージから飛散する加工液が工作機械本体外へ飛散するのを防止するため、工作機械のワーク加工ステージ前に取り付けられる加工液飛散防止カバー装置に関する。
【背景技術】
【０００２】
平面研削装置、平面研磨装置、切削装置、旋盤等の工作機械は、ワークの機械加工中の加工液が機械装置本体外へ飛散するのを防止するため、および作業者を危険から防止するために開閉可能なカバー装置（安全扉も含まれる）が設けられている。
【０００３】
例えば、特開２００６−６８８５９号公報（特許文献１）は、図５に示すワークが搭載可能なロータリーテーブル３ａ（加工ステージ）の外周を囲繞する半円筒状の加工液飛散防止カバー装置３（右側の円弧状の透明窓付き引き戸３ｂは、左側の引き戸収納戸袋に収納可能である）を機枠４上に備えた数値制御ロータリー平面研削装置１を開示する。数値制御装置５０の操作盤より入力された加工条件に従って砥石軸１６に軸承された砥石車６はワーク加工ステージの一構成部材であるロータリーテーブル３ａ上に固定されたワークを研削加工する。前記半円筒状の加工液飛散防止カバー装置３は、研削液が機械装置外へ飛散するのを防止する。
【０００４】
また、特開２００６−６２０３０号公報（特許文献２）は、天井開放型の左右の引き戸を備えた工作機械の安全扉を提案する。
【０００５】
さらに、特開２００８−１４９４０１号公報（特許文献３）は工作機械のベッドに固定して立設された左右一対の支持枠の上端部間に上部ビームを掛け渡して形成された門型のシャッターフレームに、扉を開閉自在に装着してなり、工作機械のテーブルの前面側を覆う前面シャッターと、前記シャッターフレームの両側および前記ベッドの少なくとも一方に支持されて前記テーブルの左右側面側を覆う左側面パネルおよび右側面パネルとを備えたカバー構造体であって、前記左右側面パネルは、それぞれ、上部側面パネルと下部側面パネルとからなり、該下部側面パネルが前記シャッターフレームおよび前記ベッドの少なくとも一方に支持され、前記上部側面パネルが下部側面パネルに対してその上部に載置されて着脱可能に連結されており、また、前記シャッターフレームの各支持枠が下部支持枠に上部支持枠をヒンジによって連結されてなり、各上部支持枠が、前記上部ビームを伴って前記テーブルの前後方向に沿う垂直面内において下部支持枠に対して起倒可能に設けられていることを特徴とする工作機械のカバー構造体を提案する。
【０００６】
上記特許文献１、特許文献２および特許文献３は天井開放型の加工液飛散防止カバー装置を開示するものであるが、工作機械全体を覆う全閉カバー装置も広く実用化されている。例えば、特開２００６−１７５５２７号公報（特許文献４）は、全閉カバー装置で被われたプロファイル研削装置を開示する。
【０００７】
また、特開２００３−１１７８２８号公報（特許文献５）および特開２００９−１３６９３６号公報（特許文献６）は、全閉カバー装置で被われた円筒研削装置を提案する。
【０００８】
一方、複数の関節アーム回動機構を備える懸架機構で支持される数値制御装置が米国特許第４９９７１５５号明細書（特許文献７）で提案され、また、ドイツのリッタルブェルグ社（Rittal  Werg）が図６に示す制御装置の懸架機構“Rittal  ＣＰ−Ｑ”（商品名）４０を市販している（非特許文献１参照）。この懸架機構４０は複数の支持アーム２１ａ，２１ｂ，２１ｃを中間継手２２ａ，２２ｂ，２２ｃで１２０〜３２０度旋回可能に接続し、関節アーム回動機構２１ｄより構成され、操作盤、ディスプレイ画面などを備える数値制御装置５０を工作機械の天井や側壁７１ｂあるいは機枠４に接続フランジ２３を用いて継手２２ａ部分を固定し数値制御装置５０を旋回可能に懸架する構造を採用している。
【先行技術文献】
【特許文献】
【０００９】
【特許文献１】特開２００６−６８８５９号公報
【特許文献２】特開２００６−６２０３０号公報
【特許文献３】特開２００８−１４９４０１号公報
【特許文献４】特開２００６−１７５５２７号公報
【特許文献５】特開２００３−１１７８２８号公報
【特許文献６】特開２００９−１３６９３６号公報
【特許文献７】米国特許第４９９７１５５号明細書
【非特許文献】
【００１０】
【非特許文献１】FRIEDHELM LOH GROUP発行カタログ、 「Rittal CP-Q Tragarmsystem Montageanlaitung（サポートシステム）」、１−６頁、２０１０年３月１８日入手。
【発明の概要】
【発明が解決しようとする課題】
【００１１】
前記特許文献１乃至特許文献６に記載の数値制御工作機械は、カバー装置外の壁や機枠、あるいは床に操作盤を備える数値制御装置を据え付け固定したものである。よって、作業者は加工プログラムに則った加工条件を数値制御装置の操作盤より入力する必要があり、ワークテーブル上に新しいワークを固定する作業者の口頭指示に基づいて別の作業者が加工条件を操作盤より入力するか、ワークテーブル上に新しいワークを固定した作業者が操作盤前に移動し、次いで、新しい加工条件を操作盤から入力する必要があった。
【００１２】
前記特許文献７に開示される複数の関節アーム回動機構を備える懸架機構で支持される数値制御装置を採用すれば、ワークテーブル上に新しいワークを固定する作業者は、懸架機構を回動させて操作盤をワークテーブル近傍に移動させ、当該作業者自身が新しい加工条件を操作盤に入力することが可能となる。
【００１３】
本発明は、工作機械の天井開放型加工液飛散防止カバー装置の構造を、加工ステージを構成するワークテーブル近傍に複数の関節アーム回動機構を備える懸架機構で支持される数値制御装置が出入り可能とした天井開放型加工液飛散防止カバー装置の提供を目的とする。
【課題を解決するための手段】
【００１４】
請求項１の発明は、加工液飛散防止カバー装置（７０）は、工作機械のワークテーブル（３ａ）前面側に設けられる天井開放型加工液飛散防止カバー装置（７０）であって、左側戸袋（７０ａ）と、この左側戸袋内に出入り可能な中央引き戸（７０ｂ）と、右端に設けられた回転軸（７２）廻りに前記ワークテーブル（３ａ）方向内側に回動可能な右側回転扉（７０ｃ）とから構成されており、前記中央引き戸（７０ｂ）と右側回転扉（７０ｃ）には透視窓（７４，７４）が設けられている加工液飛散防止カバー装置（７０）であり、
数値制御装置（５０）は、前記加工液飛散防止カバー装置（７０）の右側回転扉（７０ｃ）を内側へ後退させた後に数値制御装置（５０）を垂下する懸架機構（４０）の旋回アーム（２１ａ，２２ｂ）を前記回転軸（７２）廻りに旋回させることにより前記ワ−クテーブル（３ａ）近傍に移動可能であり、また、前記旋回アーム（２１ａ，２２ｂ）を前記回転軸（７２）廻りに逆方向に旋回させることにより前記加工液飛散防止カバー装置（７０）外へと移動シテワークステージの前記ワークテーブル（３ａ）から遠ざける構造となっている、ことを特徴とする数値制御工作機械（１）用の加工液飛散防止カバー装置（７０）を提供するものである。
【発明の効果】
【００１５】
工作機械の右側機枠側面または右側機枠前面に据え付けられた関節アーム回動機構を備える懸架機構で支持される数値制御装置５０を、懸架機構４０の関節アーム２１，２２を回動することによりワークテーブル近傍に移動することができ、新しいワークをワークテーブル上に固定する作業者は、数値制御装置５０の操作盤から新しいワークに適した加工条件を入力することができる。
【００１６】
ワークを機械加工するに先立って、関節アームを回動することによりワークテーブル外の工作機械位置に数値制御装置５０の操作盤を移動させた後、右側回転扉を前側に回動し、次いで中央引き戸を右側に引き出し前記右側回転扉に当接させることにより、左側戸袋と中央引き戸と前記右側回転扉によりワークテーブル前面側がカバーされ、加工液が加工ステージから機外へ飛散することが防止される。
【図面の簡単な説明】
【００１７】
【図１】図１は数値制御ロータリー研削装置の正面図である。
【図２】図２は数値制御ロータリー研削装置の平面図である。
【図３】図３は数値制御ロータリー研削装置の側面図である。
【図４】図４はカバー装置の前側の一部を切り欠いた平面図である。
【図５】図５は数値制御ロータリー研削装置の斜視図である。（公知）
【図６】図６は関節アーム回動機構を備える懸架機構で支持される数値制御装置の斜視図を示す。（公知）
【発明を実施するための形態】
【００１８】
以下、図を用いて本発明の複合平面研削装置をさらに詳細に説明する。
図１、図２および図３で示される数値制御ロータリー研削装置１において、２は砥石頭、３ａはロータリーテーブル（ワークテーブル）、４は機枠、６は砥石車、３０は電装箱、３１は砥石軸静圧用油圧装置、３２は砥石軸頭左右案内静圧用油圧装置、３３は注水装置、３４は減衰装置、３５はロータリーテーブル案内面静圧用油圧装置／ロータリーテーブル回転モータ冷却用油圧装置、３６は砥石軸静圧油回収装置／ミスト回収装置、３７は砥石軸静圧用油圧装置用油温自動調整器、３８は制御盤用冷却ユニット、５０は懸架機構４０の関節アーム２１，２２で旋回可能に支持された操作盤を備える数値制御装置で、カバー装置７０の右側壁７１ｂの床に固定された支柱７２の頭頂部にフランジ２３を介して中継手２２ａを接続し、この中継手２２ａにアーム２１ａ、中継手２２ｂ、アーム２２ｂ、関節アーム回動機構２２ｂ，２１ｄを備える中継手２２ｃへと延長し数値制御装置５０を旋回可能に垂下させている。
【００１９】
カバー装置７０のロータリーテーブル３ａ前面側は、天井開放型加工液飛散防止カバー装置となっており、天井カバー７２ａを有する左側戸袋７０ａと、この左側戸袋７０ａ内に出入り可能な中央引き戸７０ｂと、右端に設けられた蝶番の回転軸７５廻りにワークテーブル方向内側に回動可能な右側回転扉７０ｃとから構成されており、前記中央引き戸７０ｂと右側回転扉７０ｃには透視窓７４が設けられている。図１および図４において７１ａはカバー装置７０の左側壁を示す。
【００２０】
図４のカバー装置の部分拡大図に示すように、中央引き戸７０ｂの右端は右側回転扉７０ｃの左端と２〜５ｃｍ幅重なるように設置され、中央引き戸７０ｂの上側を滑走案内するレール枠７６左端にはストッパー（係止棒）７６ｂが設けられている。
【００２１】
作業者は、把手７０ｂ２を左側へ引くことにより中央引き戸７０ｂを滑走させて左側戸袋７０ａ内に収納した後、把手７０ｃ２を内側へ押すことにより右側回転扉７０ｃを蝶番の回転軸７５廻りに内側に回転させてロータリーテーブル３ａ手前を開放し、ついで、数値制御装置５０をロータリーテーブル３ａ右側近傍に移動させ、数値制御装置５０を手前に旋回させて数値制御装置５０に備えられている操作盤を前面の位置に調整し、操作盤への入力を容易可能とする。
【００２２】
操作盤への入力が終了したら、作業者は数値制御装置５０をカバー装置７０外へと旋回してワークステージ３のロータリーテーブル３ａより遠ざけ、次いで、中央引き戸７０ｂを右側へ滑走させてストッパー７６ｂに当接させて止め、更に把手７０ｃ２を手前側へ引っ張ることにより右側回転扉７０ｃを蝶番の回転軸７５廻りに手前側に回転させて中央引き戸７０ｂの右端に重ね合わせてロータリーテーブル３ａ手前をカバー（閉鎖）する。
【００２３】
数値制御装置５０の懸架機構４０は、床の他に、機枠４に起立させても良いし、カバー装置７０の側壁７１ｂに取り付けてもよい。
【産業上の利用可能性】
【００２４】
本発明の数値制御工作機械１用の加工液飛散防止カバー装置７０は、数値制御装置５０に備えられた操作盤をワークテーブル３ａ近傍に導くことができ、ワークテーブル３ａに新しいワークを載置する作業者は前記ワークテーブル３ａ近傍で加工条件を前記操作盤から入力することができる。
【符号の説明】
【００２５】
１  数値制御工作機械
２  砥石頭
３  ワークステージ
３ａ  ロータリーテーブル
６  砥石車
２１ａ，２２ｂ  旋回アーム
４０  数値制御装置の懸架機構
５０  数値制御装置
７０  加工液飛散防止カバー装置
７０ａ  左側戸袋
７０ｂ  中央引き戸
７０ｃ  右側回転扉
７２  回転軸
７４  透視窓
【図１】
0005534324.tif 000002
【図２】
0005534324.tif 000003
【図３】
0005534324.tif 000004
【図４】
0005534324.tif 000005
【図５】
0005534324.tif 000006
【図６】
0005534324.tif 000007